(57)【要約】【課題】  それ自体の重量が小さく、従来製品に比べて極めて大きい荷重に耐えることができ、しかも低コストで製造できる長方形状のＰＣ床板用ＰＣａＣ版の提供を目的とする。【解決手段】  長方形状をしたプレキャストコンクリート版本体１に、長方形状の両長辺２，２間に斜めに向けて配置した一方の直線型高剛性部３と、これとは逆の斜めに向けて配置した他方の直線型高剛性部４とから構成され、各直線型高剛性部３，４の中央部分を互いに交差させてＸ字状に配置したＸ型高剛性部５，５を、長方形状の長手方向に複数並べた配置に設け、各Ｘ型高剛性部５，５を構成する各直線型高剛性部３，４にＰＣ緊張材７を挿通してＸ型高剛性部５の各直線型高剛性部方向に向けてプレストレスを付与した。【選択図】  図１
2006118293.tif 000002
【特許請求の範囲】
【請求項１】
長方形状をしたプレキャストコンクリート版本体に、該長方形状の両長辺間に斜めに向けて配置した一方の直線型高剛性部と、これとは逆の斜めに向けて配置した他方の直線型高剛性部とから構成され、前記各直線型高剛性部の中央部分を互いに交差させてＸ字状に配置したＸ型高剛性部を、前記長方形状の長手方向に複数並べた配置に設け、
前記各Ｘ型高剛性部を構成する各直線型高剛性部にＰＣ緊張材を挿通して該Ｘ型高剛性部の各直線型高剛性部方向に向けてプレストレスを付与したことを特徴としてなるプレストレストコンクリート床板用プレキャストコンクリート版。
【請求項２】
前記各直線型高剛性部にＰＣ緊張材挿通孔を設け、該ＰＣ緊張材挿通孔の端部をプレキャストコンクリート版本体の長辺と長辺又は長辺と隅部に開口させ、該各ＰＣ緊張材挿通孔毎にＰＣ緊張材を挿通してプレストレスを付与してなる請求項１に記載のプレストレストコンクリート床板用プレキャストコンクリート版。
【請求項３】
互いに隣り合うＸ型高剛性部間において、一方のＸ型高剛性部の直線型高剛性部の端部に、他方のＸ型高剛性部の直線型高剛性部の端部を交差させてなる請求項１又は２に記載のプレストレストコンクリート床板用プレキャストコンクリート版。
【請求項４】
並べて設置されたＸ型高剛性部のそれぞれ互いに隣り合う直線型高剛性部の端部を一体に連続させ、その連続部分を貫通して互いに隣り合う直線型高剛性部に連続させてＰＣ緊張材挿通孔を設け、該ＰＣ緊張材挿通孔に連続してＰＣ緊張材を挿通して緊張することにより互いに隣り合うＸ型高剛性部の一方の直線型高剛性部と他方の直線型高剛性部に連続させてプレストレスを導入させてなる請求項１に記載のプレストレストコンクリート床板用プレキャストコンクリート版。
【請求項５】
直線型高剛性部は、プレキャストコンクリート版本体の底面より突出し、その高さを中央部が最も高く両端に至るに従って徐々に低くした直線型突条を一体に備えることにより構成された請求項１〜３又は４に記載のプレストレストコンクリート床板用プレキャストコンクリート版。
【請求項６】
プレキャストコンクリート版本体の周囲四辺に、周辺高剛性部を一体に備えた請求項１〜４又は５に記載のプレストレストコンクリート床板用プレキャストコンクリート版。
【請求項７】
周辺高剛性部は、プレキャストコンクリート版本体の周囲４辺に沿って底面より突出した周方向突条を一体に備えることにより構成された請求項６に記載のプレストレストコンクリート床板用プレキャストコンクリート版。
【発明の詳細な説明】
【技術分野】
【０００１】
本発明は、空港における大型の航空機の滑走路や通路、埠頭における荷揚げ用ガントリークレーンが走行する通路等、局部的に大荷重を受ける部分の床板として使用できるプレストレストコンクリート床板用プレキャストコンクリート版に関する。
【背景技術】
【０００２】
従来、プレキャストコンクリート版（以下ＰＣａＣ版と記す）が、ビルディングや高架道路、桟橋などの床板として使用されている。これらのＰＣａＣ版には、縦横方向に緊張材を配して緊張させた方形状のプレストレストコンクリート版（以下ＰＣ版と記す）が使用されている。
【０００３】
この種の従来のプレストレスを付与したＰＣａＣ版は、構造的には、発生する断面力（主として曲げモーメント）は４辺支持、即ち表面に下向きに掛かる荷重をＰＣａＣ版の４辺で支持させる場合が最も小さくなる。この場合、ＰＣａＣ版には上面に下向き荷重が作用した時には、ＸＹ両方向に対して同じ断面力が生じる。
【０００４】
このため従来は、ＰＣａＣ版の２つの対向する２辺間方向にそれぞれプレストレスを付与した構造としている（例えば特許文献１及び２を参照）。
【０００５】
また、このようなＰＣａＣ版は、表面に下向きの荷重が作用した際に生じる曲げモーメントは中央部分が最も大きく、周辺部に至るに従って小さくなるが、ＰＣ版の特性として、平面的に配置したＰＣ緊張材の緊張力を部分的に大きくしたとしても、これが全体に影響する為、部分的に大きなプレストレスを導入することができなかった。このため、従来は中央部分に生じる最も大きな曲げモーメントに合わせて全域において均等にプレストレスを導入させていた。
【特許文献１】特開昭６４−４３０７号公報
【特許文献２】特開昭６３−１０７６３８号公報
【発明の開示】
【発明が解決しようとする課題】
【０００６】
上述の如き従来のＰＣａＣ版において、例えば空港の滑走路や航空機通路、更には埠頭におけるガントリークレーンの通路等、局部的に６００ｔもの超大荷重が掛かるような場所に使用するような場合に、十分な耐荷重を得ようとすると、全体の板厚を大きくし、しかも平面全域に亘って大きなプレストレスを導入しなければならず、ＰＣａＣ版自体の重量が極めて大きなものとなって取り扱いに困難が生じ、また製造に高度の技術とＰＣ緊張材やコンクリート等の多くの資材及びプレストレス導入の為の高度の設備を必要とし、高コストとならざるを得ないという問題があり、例えば１０ｍ四方のＰＣａＣ版であって５００ｔ〜８００ｔもの大荷重に耐えるようにしたものは、従来では例を見ることがなかった。
【０００７】
また、局部的に大荷重がかかる場所に、広面積のＰＣａＣ版を使用した場合、局部的荷重が中央より偏った部分に作用すると板自体に反りが発生し、隅部が浮き上がる状況が生じ、航空機やクレーンが通過する度に隅部が浮き上がって振動し、隣り合う板との間に段差が生じる事となる為、これを防止する為にＰＣａＣ版の４隅とその下の下部支持構造との連結を強固なものとする必要があり、そのためには高度の技術と高価な資材が必要になるという問題がある。
【０００８】
更に、上述の従来技術の問題を解決するものとして、方形状のプレキャストコンクリート版本体の両対角間に剛性が周囲より大きい対角方向高剛性部を連続した配置に設け、該対角方向高剛性部内にＰＣ引張材を挿通させるようにしたＰＣａＣ版が開発されているが、このＰＣａＣ版では、ＰＣａＣ版が長方形状の場合、ＰＣ緊張材により導入された緊張力の分力の大きさが長方形の長手方向と短手方向とで異なり、プレストレスが均一に分布されないという問題があった。
【０００９】
そこで本発明は、上述の従来技術の問題を鑑み、海上において水底に支持させた杭等の下部支持構造の上に戴置して滑走路の路盤や埠頭の路盤として使用でき、それ自体の重量が小さく、従来製品に比べて極めて大きい荷重に耐えることができ、しかも低コストで製造できる長方形状のプレストレストコンクリート床板用プレキャストコンクリート版の提供を目的とする。
【課題を解決するための手段】
【００１０】
上述の如き従来の問題を解決し、所期の目的を達成するための請求項１に記載の発明は、長方形状をしたプレキャストコンクリート版本体に、該長方形状の両長辺間に斜めに向けて配置した一方の直線型高剛性部と、これとは逆の斜めに向けて配置した他方の直線型高剛性部とから構成され、前記各直線型高剛性部の中央部分を互いに交差させてＸ字状に配置したＸ型高剛性部を、前記長方形状の長手方向に複数並べた配置に設け、前記各Ｘ型高剛性部を構成する各直線型高剛性部にＰＣ緊張材を挿通して該Ｘ型高剛性部の各直線型高剛性部方向に向けてプレストレスを付与したプレストレストコンクリート床板用プレキャストコンクリート版であることを特徴とする。
【００１１】
請求項２に記載の発明は、請求項１の構成に加え、前記各直線型高剛性部にＰＣ緊張材挿通孔を設け、該ＰＣ緊張材挿通孔の端部をプレキャストコンクリート版本体の長辺と長辺又は長辺と隅部に開口させ、該各ＰＣ緊張材挿通孔毎にＰＣ緊張材を挿通してプレストレスを付与したことを特徴とする。
【００１２】
請求項３に記載の発明は、請求項１又は２の構成に加え、互いに隣り合うＸ型高剛性部間において、一方のＸ型高剛性部の直線型高剛性部の端部に、他方のＸ型高剛性部の直縁型高剛性部の端部を交差させたことを特徴とする。
【００１３】
請求項４に記載の発明は、請求項１の構成に加え、並べて設置されたＸ型高剛性部のそれぞれ互いに隣り合う直線型高剛性部の端部を一体に連続させ、その連続部分を貫通して互いに隣り合う直線型高剛性部に連続させてＰＣ緊張材挿通孔を設け、該ＰＣ緊張材挿通孔に連続してＰＣ緊張材を挿通して緊張することにより互いに隣り合うＸ型高剛性部の一方の直線型高剛性部と他方の直線型高剛性部に連続させてプレストレスを導入させたことを特徴とする。
【００１４】
請求項５に記載の発明は、請求項１〜３又は４の構成に加え、直線型高剛性部は、プレキャストコンクリート版本体の底面より突出し、その高さを中央部が最も高く両端に至るに従って徐々に低くした直線型突条を一体に備えることにより構成されたことを特徴とする。
【００１５】
請求項６に記載の発明は、請求項１〜４又は５の構成に加え、プレキャストコンクリート版本体の周囲四辺に、周辺高剛性部を一体に備えたことを特徴とする。
【００１６】
請求項７に記載の発明は、請求項６の構成に加え、周辺高剛性部は、プレキャストコンクリート版本体の周囲４辺に沿って底面より突出した周方向突条を一体に備えることにより構成されたことを特徴とする。
【発明の効果】
【００１７】
本発明に係るプレストレストコンクリート床板用プレキャストコンクリート版は、長方形状をしたプレキャストコンクリート版本体に、該長方形状の両長辺間に斜めに向けて配置した一方の直線型高剛性部と、これとは逆の斜めに向けて配置した他方の直線型高剛性部とから構成され、前記各直線型高剛性部の中央部分を互いに交差させてＸ字状に配置したＸ型高剛性部を、前記長方形状の長手方向に複数並べた配置に設け、前記各Ｘ型高剛性部を構成する各直線型高剛性部にＰＣ緊張材を挿通して該Ｘ型高剛性部の各直線型高剛性部方向に向けてプレストレスを付与したことにより、長方形の長手方向及び短手方向においても、略均一に緊張力が付与され、このＰＣａＣ版の四辺を支持させて床板を構成させることにより発生する曲げモーメントの分布、即ち曲げモーメントは中央部が最も大きく、周辺部に至るに従って小さくなるという特性に対応し、超大荷重に対し中央部が十分な耐荷重を有し、従来のようにＰＣａＣ版の各辺間方向においてプレストレスを導入させたものに比べ、全体の重量が小さく、導入するプレストレスの為の緊張力も小さくてすむ。更に、ＰＣａＣ版を正方形状に構成する場合に比べ、床板を構成する枚数が減少し、作業効率が向上し、施工コストの低減を図ることができる。
【００１８】
また、前記各直線型高剛性部にＰＣ緊張材挿通孔を設け、該ＰＣ緊張材挿通孔の端部をプレキャストコンクリート版本体の長辺と長辺又は長辺と隅部に開口させ、該各ＰＣ緊張材挿通孔毎にＰＣ緊張材を挿通してプレストレスを付与したことにより、長方形状のＰＣａＣ版に、超大荷重に対し中央部において十分な耐荷重を有するようにプレストレスを導入することができる。
【００１９】
また、互いに隣り合うＸ型高剛性部間において、一方のＸ型高剛性部の直線型高剛性部の端部に、他方のＸ型高剛性部の直線型高剛性部の端部を交差させたことにより、長方形状のＰＣａＣ版に、超大荷重に対し中央部において十分な耐荷重を有する。
【００２０】
並べて設置されたＸ型高剛性部のそれぞれ互いに隣り合う直線型高剛性部の端部を一体に連続させ、その連続部分を貫通して互いに隣り合う直線型高剛性部に連続させてＰＣ緊張材挿通孔を設け、該ＰＣ緊張材挿通孔に連続してＰＣ緊張材を挿通して緊張することにより互いに隣り合うＸ型高剛性部の一方の直線型高剛性部と他方の直線型高剛性部に連続させてプレストレスを導入させたことにより、超大荷重に対し中央部が十分な耐荷重を有するようにプレストレスを導入することができる。
【００２１】
直線型高剛性部は、プレキャストコンクリート版本体の底面より突出し、その高さを中央部が最も高く両端に至るに従って徐々に低くした直線型突条を一体に備えることにより構成されたことによって、中央部分と周辺部分との間で耐荷重の差が大きいＰＣａＣ版を容易に製造することができる。
【００２２】
プレキャストコンクリート版本体の周囲四辺に、周辺高剛性部を一体に備えたことによって、ＰＣａＣ版の表面の一部に局部的な大荷重が作用した場合であっても、版自体の反りが発生しにくくなり、安定した耐超大荷重床板構造を構成させることができる。
【００２３】
周辺高剛性部は、プレキャストコンクリート版本体の周囲４辺に沿って底面より突出した周方向突条を一体に備えることにより構成されたことによって、その製造が容易となる。
【発明を実施するための最良の形態】
【００２４】
次に、本発明に係るプレストレストコンクリート床板用プレキャストコンクリート版にについて実施例に基づいて説明する。
【００２５】
図１〜図５は、プレストレストコンクリート床板用プレキャストコンクリート版（以下、ＰＣａＣ版と記す）の一例を示し、図中符号１はＰＣａＣ版本体である。
【００２６】
このＰＣａＣ版本体１は、その４隅部が面取り状に切り欠かれた長方形状をしており、図示していないが内部に必要な配筋が施されている。
【００２７】
このＰＣａＣ版本体１には、長方形状の両長辺２，２間に斜めに向けて配置した直線型高剛性部３と、この直線型高剛性部３とは逆の斜めに向けて配置した直線型高剛性部４とから構成され、各直線型高剛性部３，４の中央部分を互いに交差させてＸ字状に配置したＸ型高剛性部５，５が、長方形状の長手方向に並べた配置に設けられている。
【００２８】
また、各Ｘ型高剛性部５，５は、互いに隣り合うＸ型高剛性部５，５間において、一方のＸ型高剛性部５の直線型高剛性部３の端部に、他方のＸ型高剛性部５の直線型高剛性部４の端部を交差させた配置となっている。
【００２９】
直線型高剛性部３，４は、ＰＣａＣ版本体１の底面に一方の長辺の隅部から該隅部と対向配置にある他方の長辺２に斜めに向けて配置した直線型突条３ａ，４ａを一体に成形することにより、ＰＣａＣ版本体１の底面を局部的に肉盛りし、その部分の剛性を高めている。
【００３０】
直線型突条３ａ，４ａは、その略中央部分を互いに交差させ、その交差部分、即ちＸ型高剛性部５の中央部における高さが最も高く、両端部に至るに従って低く形成されている。
【００３１】
また、各直線型突条３ａ，４ａは、互いに隣り合うＸ型高剛性部５，５間において、一方のＸ型高剛性部５の直線型突条３ａの端部に、他方のＸ型高剛性部５の直線型直線型突条４ａの端部を、長方形状の長手方向中央部において互いに交差させ、両Ｘ型高剛性部５，５が長方形の中央を介して対称配置に成形されている。
【００３２】
ＰＣａＣ版本体１の周囲の４辺部には、周辺高剛性部６が設けられている。周辺高剛性部６は、ＰＣａＣ版本体１の各周辺底面に一体に突設した周方向突条６ａ，６ａ…によって構成されているものであり、ＰＣａＣ版本体１の周辺部に肉盛りを施すことによって断面の剛性を局部的に増強している。
【００３３】
各周方向突条６ａ，６ａ…は、前述した直線型突条３ａ，４ａの端部と一体化され、周方向に連続した配置に成形されている。
【００３４】
各Ｘ型高剛性部５，５を構成する直線型高剛性部３，４には、その長手方向に沿ってＰＣ緊張材挿通孔が形成されている。このＰＣ緊張材挿通孔は、例えば、螺旋巻管等の鋼管製シースをＰＣａＣ版本体１及び／又は各突条３ａ，４ａ，６ａのコンクリート打設成形時に埋設しておくことによって形成する。
【００３５】
このＰＣ緊張材挿通孔は、その一方が隅部に、他方が隅部と対向する長辺に開口しており、直線型剛性部３内を通るＰＣ緊張材挿通孔は、その中央部で他方の直線型高剛性部４内を通るＰＣ緊張材挿通孔と交差するように配置されている。
【００３６】
また、互いに隣り合うＸ型高剛性部５，５間において、一方のＸ型高剛性部５の直線型高剛性部３内を通るＰＣ緊張材挿通孔と、他方のＸ型高剛性部５の直線型高剛性部４内を通るＰＣ緊張材挿通孔とが交差する配置となっている。そして、ＰＣ緊張材７は、一方の端部が長方形状の隅部に、他方の端部がその隅部と対向配置にある長辺２に定着されるようになっている。
【００３７】
このようにして長方形のＰＣａＣ版本体１に複数のＸ型高剛性部５，５を長方形状の長手方向に並べて一体に設け、各Ｘ型高剛性部５，５を構成する直線型高剛性部３，４にＰＣ緊張材７を挿通し、それぞれの隅部（長辺部）と長辺部との間に同等の緊張を与えてプレストレスを付与するようになっている。
【００３８】
これにより、長方形状の長手方向及び短手方向においても、導入されたプレストレスト力は、Ｘ型高剛性部５の中央部、即ち直線型高剛性部３，４の交差部で大きく、周辺部に行くに従って小さい応力分布を有し、長方形の中央部分においても、互いに隣り合うＸ型高剛性部５，５間において、一方のＸ型高剛性部５の直線型高剛性部３と、他方のＸ型高剛性部５の直線型高剛性部４とを交差させているため、十分な耐荷重が得られるようになっている。
【００３９】
このようなＰＣａＣ版を製造するには、例えば、図６に示すように、互いに交差してＸ字状に配置された直線型突条３ａ，４ａとその上側のＰＣａＣ版本体部分とからなるＸ型高剛性部５を構成するＸ型高剛性部構成部材と、周方向突条６ａとその上側のＰＣａＣ版本体部分とからなる周辺部高剛性部６を構成する周辺部高剛性部構成部材とを一体化させた高剛性部構成部材１０を成形する。即ち、Ｘ型高剛性部５，５を構成するＸ型高剛性部構成部材が並べて配置され、その回りに周辺部高剛性部６を構成する周辺部高剛性部構成部材が配置されるように一体に成形し、上下方向に貫通した空間ａ，ａ…を有する高剛性部構成部材１０を成形する。
【００４０】
次に、この高剛性部構成部材１０のうちのＸ型高剛性部構成部材内に直線型高剛性部の方向にＰＣ緊張材７を挿通する。このＰＣ緊張材７の挿通は、アンボンドＰＣ緊張材を予め埋め込むことによって行ってもよく、また、ＰＣ緊張材挿通用のシースを予め埋め込んで高剛性部構成部材をコンクリート打設成形し、しかる後に、ＰＣ鋼棒又はＰＣストランド等のＰＣ緊張材をシース内に挿通させてもよい。
【００４１】
このようにしてＰＣ緊張材７を挿通し、図７に示すように、その一端をＸ型高剛性部構成部材の直線型高剛性部の一端に定着させ、他端を油圧ジャッキ１１によって引張し、緊張状態で直線型高剛性部構成部材の他端に定着させることによってプレストレスを導入する。尚、図中符号１２はＰＣ緊張材挿通孔の開口端部に固定された支圧板であり、定着具１３には、ＰＣ鉄棒の外周にナットを螺合させ、それを支圧板１２に支持させるナット定着式、テーパ筒を半割状にした楔によってＰＣ緊張材を掴ませるようにした楔定着式等、各種の定着方式のものを使用することができる。
【００４２】
このようにして予め形成した高剛性部構成部材１０にプレストレスを導入させた後、これと一体に、Ｘ型高剛性部構成部材及び周辺部高剛性部構成部材とに囲まれた部分ａの略上半部内にＰＣａＣ版本体１の残りの平板部を構成させるコンクリートを打設し、後打ちのコンクリートと高剛性部構成部材とが一体となった長方形状のＰＣａＣ版となす。
【００４３】
尚、上記コンクリートは、高剛性部構成部材に囲まれた部分ａ内と一体に、その上側に重ねた配置にＰＣａＣ版本体の上面を構成させる部分のコンクリートを打設してもよい。また、後打ちのコンクリート及び高剛性部構成部材には共に、内部に必要な配筋を施すとともに、両者を一体化させるために、両者間に連続させた所望の配筋が施されている。
【００４４】
このようにして、高剛性部構成部材を予め成形し，プレストレスを導入することにより、Ｘ型高剛性部５の直線型高剛性部方向の緊張力が強く好適に導入され、中央部分に十分な耐荷重性能を持たせることができ、必要とするＰＣ緊張材の緊張力が小さい場合でも効果的に所望のプレストレスの導入がなされる。
【００４５】
この実施例において、高剛性部構成部材に対してプレストレスを導入したとき、ＰＣ緊張材に対する緊張力の誤差や、高剛性部構成材の強度の誤差によって、高剛性部構成材に上下方向の捩れ現象が生じる場合がある。この場合には、後打ちコンクリートの打設に先立って、高剛性部構成部材上に反力受けを設置し、これに支持させて油圧ジャッキ等の加圧機をもって高剛性部構成部材の４隅上面及び長辺部中央上面を下向きに加圧し、所定の平面度に矯正する。
【００４６】
この状態でＰＣａＣ版本体の平面部の残りの部分に後打ちのコンクリートを打設して高剛性部構成材と一体化させる。このコンクリートが固化し、所定の強度が発現されることによって高剛性部構成材の捩れが矯正された状態に保持され、加圧機による矯正力を解いた後も、ＰＣ版の平面度が維持される。
【００４７】
尚、加圧機を使用した高剛性部構成部材に対する平面度の強制は、製造されるＰＣ版の大きさや、導入するプレストレスの大きさによって捩れなどの歪が生じないか、或いは生じてもその程度が小さい場合には必ずしも必要ではない。
【００４８】
このＰＣａＣ版Ａを用いて例えば、海上の滑走路や埠頭等の超重荷重を支持させるＰＣ床板を構築する場合には、図８、図９に示すように、水底地盤に支持させた杭等の下部支持構造１４，１４…の上に梁１５を支持させ、その上に床板支持部１６を固定する。
【００４９】
この床板支持部１６は、Ｈ型鋼材或いは場所打ち又はＰＣａＣ材等からなる横材を格子状に配置し、その各格子の４辺１７，１７…を１枚のＰＣａＣ版Ａの４辺のそれぞれを支持する支持部とし、それぞれの格子毎にＰＣａＣ版を載せて、平面方向に広がる床板となす。
【００５０】
そして、使用する各ＰＣａＣ版Ａが、予定された全てのプレストレスが導入されているものである場合には、それらの上に表面部舗装１８を施し、車両や航空機が走行可能な路面を形成する。
【００５１】
上述の実施例では、ＰＣ緊張材挿通孔が各高剛性部内にその長手方向に沿って形成されるとともに、隅部又は長辺部より、その隅部又は一方の長辺部と対向する長辺部に向けて形成されたものについて説明したが、図１０に示すように、並べて設置されたＸ型高剛性部のそれぞれ互いに隣り合う直線型高剛性部３，４の端部を一体に連続させ、その連続部分を貫通して互いに隣り合う直線型高剛性部３，４に連続させてＰＣ緊張材挿通孔を設けるようにし、ＰＣ緊張材挿通孔に連続してＰＣ緊張材７を挿通して緊張することにより互いに隣り合うＸ型高剛性部５，５の一方のＸ型高剛性部５の直線型高剛性部３と他方のＸ型高剛性部５の直線型高剛性部４に連続させて緊張力を導入させるようにしてもよい。尚、上述の実施例と同一の部分には、同一符号を付して説明を省略する。
【００５２】
これにより、長方形状の長手方向及び短手方向においても、導入されたプレストレスト力は、Ｘ型高剛性部の中央部、即ち、直線型高剛性部の交差部で大きく、周辺部に行くに従って小さい応力分布を有し、長方形の中央部には、長手方向及び短手方向において好適に圧縮力が生じてプレストレスが導入され、十分な耐荷重を得ることができる。
【００５３】
また、ＰＣａＣ版は、上述の実施例ではＸ型高剛性部を二つ並べて配置したものについて説明したが、例えば図１１に示すもののように、長方形状のＰＣａＣ版本体１の長手方向に３つ以上のＸ型高剛性部を並べて配置するようにしてもよい。尚、上述の実施例と同一の部分には、同一符号を付して説明を省略する。
【００５４】
また、上述の実施例では、ＰＣａＣ版本体１の周辺に、周辺高剛性部を一体に有する場合について説明したが、周辺高剛性部がなくともよい。
【００５５】
上述の実施例では、各高剛性部内にＰＣ緊張材挿通孔を形成しておき、これにＰＣ緊張材を挿通してプレストレスを導入する所謂ポストテンショニング方式による場合を示したが、この他、ＰＣ緊張材を緊張させた状態で型枠内に配置し、そこにコンクリートを打設して上述のＰＣａＣ版を成形し、コンクリートが固化した後にＰＣ緊張材の両端を切断してＰＣａＣ版にプレストレスを導入する所謂プレテンショニング方式によりプレストレストコンクリート床板用プレキャストコンクリート版を形成してもよい。
【図面の簡単な説明】
【００５６】
【図１】本発明に係るプレストレストコンクリート床板用プレキャストコンクリート版の実施の一例を示す正面図である。
【図２】同上のＰＣａＣ版を示す底面図である。
【図３】図２中のＤ-Ｄ線矢視図である。
【図４】図２中のＥ−Ｅ線矢視図である。
【図５】図２中のＦ−Ｆ線矢視図である。
【図６】（ａ）は高剛性部構成部材を示す底面図、（ｂ）は同Ｇ−Ｇ線矢視図である。
【図７】図６に示す高剛性構成部材に対するプレストレス導入作業の状態を示す一部を省略した断面図である。
【図８】図１に示すプレストレストコンクリート床板用プレキャストコンクリート版の使用状態を示す断面図である。
【図９】同上の一部を切り欠いて示す平面図である。
【図１０】本発明に係るプレストレストコンクリート床板用プレキャストコンクリート版の他の実施例を示す底面図である。
【図１１】本発明に係るプレストレストコンクリート床板用プレキャストコンクリート版の更に他の実施例を示す底面図である。
【符号の説明】
【００５７】
Ａ，Ｂ  プレストレストコンクリート床板用プレキャストコンクリート版
１  ＰＣａＣ版本体
２  長辺
３  直線型高剛性部
３ａ  直線型突条
４  直線型高剛性部
４ａ  直線型突条
５  Ｘ型高剛性部
６  周辺高剛性部
６ａ  周方向突条
７  ＰＣ緊張材
１０  高剛性部構成部材
１１  油圧ジャッキ
１２  支圧板
１３  定着具
１４  下部支持構造
１５  梁
１６  床板支持部
１７  各格子の辺
１８  表面部舗装
【図１】
2006118293.tif 000003
【図２】
2006118293.tif 000004
【図３】
2006118293.tif 000005
【図４】
2006118293.tif 000006
【図５】
2006118293.tif 000007
【図６】
2006118293.tif 000008
【図７】
2006118293.tif 000009
【図８】
2006118293.tif 000010
【図９】
2006118293.tif 000011
【図１０】
2006118293.tif 000012
【図１１】
2006118293.tif 000013